(57)【要約】本発明は、光リンクを使用したデータ交換アーキテクチャに関する。装置は、ディスプレイスクリーンに近くにある。光モジュールは、装置に結合される。光リンクは、光モジュールに結合され、光モジュールは、光リンクを通して光モジュールにより受信された光信号を装置用の電気信号に変換する。
2008525899.tif 000002
【特許請求の範囲】
【請求項１】
ディスプレイスクリーンに最も近くにある機器と、
前記機器に結合される光モジュールと、
前記光モジュールに結合される光リンクとを備え、
前記光モジュールは、前記光リンクを通して前記光モジュールにより受信された光信号を前記機器用の電気信号に変換する、装置。
【請求項２】
前記機器は、ディスプレイサポート、ラジオ、カメラ、リーダ、外部ポート、ストレージユニット、セキュリティユニット、及びビデオゲームサポートユニットのうちの１つを含む、
請求項１記載の装置。
【請求項３】
前記光リンクは光バスを含み、前記光モジュールは前記光バスに結合される、
請求項１記載の装置。
【請求項４】
前記光リンクは光リングを含み、前記光モジュールは前記光リングに結合される、
請求項１記載の装置。
【請求項５】
ハブを更に備え、前記光モジュールは、前記ハブを介して光信号を受信する、
請求項１記載の装置。
【請求項６】
前記光リンクは、前記光モジュールにダイレクトに結合され、前記光リンクはポイントツーポイントの光リンクコンフィギュレーションの一部である、
請求項１記載の装置。
【請求項７】
前記光リンクは、プラスティックの光ファイバを含み、前記プラスティック光ファイバで伝送されるデータは、少なくとも毎秒４ギガビットのデータレートを有する、
請求項１記載の装置。
【請求項８】
第一の光モジュールと前記第一の光モジュールに結合される第一の機器とを含むディスプレイと、
第一の光リンクにより前記第一の光モジュールに結合される第二の光モジュールを含むボディと、
を備えるモバイルコンピュータシステム。
【請求項９】
前記モバイルコンピュータシステムは、ノートブックコンピュータ、モバイルフォン、パーソナルデジタルアシスタント、メディアプレーヤのうちの１つを含む、
請求項８記載のモバイルコンピュータシステム。
【請求項１０】
前記第一の光リンクに結合される前記ディスプレイに位置される第三の光モジュールを更に備え、前記第三の光モジュールは第二の機器に結合され、前記第一の光モジュールと前記第三の光モジュールはバスコンフィギュレーションにある、
請求項８記載のモバイルコンピュータシステム。
【請求項１１】
前記第一の光モジュール及び前記第三の光モジュール用の光信号は、前記第一の光リンクで多重される、
請求項１０記載のモバイルコンピュータシステム。
【請求項１２】
前記第一の光リンクに結合される前記ディスプレイに位置される第三の光モジュールを更に備え、前記第三のモジュールは第二の機器に結合され、前記第一の光モジュール及び前記第三の光モジュールはリングコンフィギュレーションにある、
請求項８記載のモバイルコンピュータシステム。
【請求項１３】
第二の光リンクにより前記ボディに位置される第四の光モジュールに結合される前記ディスプレイに位置される第三の光モジュールを更に備え、前記第三の光モジュールは、第二の機器に結合され、前記第一の光リンクと前記第二の光リンクは、それぞれポイントツーポイントコンフィギュレーションにある、
請求項８記載のモバイルコンピュータシステム。
【請求項１４】
前記第一の光モジュールは、前記ディスプレイにある第一のハブの一部であり、前記第二の光モジュールは、前記ボディにある第二のハブの一部である、
請求項８記載のモバイルコンピュータシステム。
【請求項１５】
前記ディスプレイにある第一のハブは、前記第一の光リンクと前記第一の光モジュールの間で光信号を向け、前記第二の光モジュールは、前記ボディにある第二のハブの一部である、
請求項８記載のモバイルコンピュータシステム。
【請求項１６】
前記第一の光リンクは、プラスティックの光ファイバを含む、
請求項８記載のモバイルコンピュータシステム。
【請求項１７】
前記装置は、ディスプレイサポート、ラジオ、カメラ、リーダ、外部ポート、ストレージユニット、セキュリティユニット、及びビデオゲームサポートユニットのうちの１つを含む、
請求項８記載のモバイルコンピュータシステム。
【請求項１８】
前記ラジオのアナログ部分は前記ディスプレイにあり、前記ラジオのデジタル部分は前記ボディにある、
請求項１７記載のモバイルコンピュータシステム。
【請求項１９】
前記第一の光リンクで伝送されるデータは、少なくとも毎秒４メガビットのデータレートを有する、
請求項８記載のモバイルコンピュータシステム。
【請求項２０】
ビデオコントローラと前記ビデオコントローラに結合される第一の光モジュールとを含むコンピュータシステムと、
ディスプレイサポートユニットと前記ディスプレイサポートユニットに結合される第二の光モジュールとを含む、光リンクにより前記コンピュータシステムに結合されるディスプレイとを有し、
前記第二の光モジュールは、前記光リンクを介して前記第一の光モジュールに結合される、
ことを特徴とするシステム。
【請求項２１】
前記第一の光モジュールは、バスコンフィギュレーション、ポイントツーポイントコンフィギュレーション、ハブコンフィギュレーション、リングコンフィギュレーション、又はこれらの組み合わせのうちの１つを使用して、前記第二の光モジュールに結合される、
請求項２０のシステム。
【請求項２２】
前記コンピュータシステムは、家庭用娯楽コンピュータシステムを含み、前記家庭用娯楽コンピュータシステムは、１以上のビデオソースからビデオ信号を受信する、
請求項２０記載のシステム。
【請求項２３】
当該システムは自動車内にあり、前記自動車は、前記コンピュータシステムに結合されるストレージユニットを含み、前記ストレージユニットは、前記ディスプレイに供給されるべきビデオコンテンツを記憶する、
請求項２０記載のシステム。
【請求項２４】
当該システムは航空機内にあり、前記航空機は、前記コンピュータシステムに結合されるストレージユニットを含み、前記ストレージユニットは、前記ディスプレイに供給されるべきビデオコンテンツを記憶する、
請求項２０記載のシステム。
【請求項２５】
前記コンピュータシステムの２以上のシステムは、少なくとも１つの光リンクにより接続される、
請求項２０記載のシステム。
【請求項２６】
前記光リンクは、プラスティックの光ファイバを含む、
請求項２０記載のシステム。
【請求項２７】
当該コンピュータシステムはサーバを含み、前記サーバは、少なくとも１つの光リンクを含むバックプレーンにより別のサーバに結合される、
請求項２０記載のシステム。
【発明の詳細な説明】
【技術分野】
【０００１】
本発明は、コンピュータシステムアーキテクチャの分野に関し、より詳細には、排他するものではないが、光リンクを使用したデータ交換アーキテクチャに関する。
【背景技術】
【０００２】
コンピュータシステムは、データを交換する様々な装置を含む。ディスプレイのような装置の中には、大量のデータを消費するものがある。現代のコンピュータシステムは、ワイヤレスコネクションを使用して他のシステムと情報を交換する。
【０００３】
今日のコンピュータシステムにおけるコンポーネントは、銅線のようなメタルワイヤリングを使用して接続されることがある。しかし、メタルの相互接続は、他のメタルの相互接続において干渉を引き起こすのと同様に、電磁干渉に苦しむ場合がある。メタルの相互接続は、データレートを制限し、マシンの性能に影響を及ぼすエネルギーを消散する。さらに、ノートブックコンピュータ又は他の類似の装置のヒンジを通して供給されるメタルの相互接続は、繰り返されるフォールディング（folding）、スライディング（sliding）又はツイスティング（twisting）におる物理的な欠陥を受ける。また、メタルの相互接続は、ノートブックコンピュータの重みを受けやすい。
【発明の開示】
【課題を解決するための手段】
【０００４】
以下の記載では、本発明の実施の形態に関する完全な理解を提供するため、様々な特定の詳細が述べられる。当業者であれば、本発明が１以上の特定の詳細なしに、又は他の方法、コンポーネント、マテリアル等により実施することができることを認識されるであろう。他の例では、公知の構造、マテリアル又は動作は、この記載の理解を曖昧にするのを回避するために詳細に図示又は記載されない。
【０００５】
「１実施の形態」又は「実施の形態」に対するこの明細書を通しての参照は、実施の形態と共に記載される特定の特徴、構造、又は特性は、本発明の少なくとも１つの実施の形態に含まれる。したがって、本明細書を通して様々な場所でのフレーズ「１実施の形態では」又は「実施の形態では」の概観は、同じ実施の形態を必ずしも全て引用していない。さらに、特定の特徴、構造、又は特性は、１以上の実施の形態で適切なやり方で結合される場合がある。
【０００６】
本発明の限定するものではなく、完全なものではない実施の形態は、添付図面を参照して説明され、図面において、同じ参照符号は、特に規定されない場合には様々な図を通して同じ部材を示す。
【発明を実施するための最良の形態】
【０００７】
図１Ａ及び図１Ｂを参照して、本発明の１実施の形態に係るモバイルコンピュータシステムが示されている。ここで使用されるように、モバイルコンピュータシステムは、旅行向けにデザインされたコンピュータシステムを含む。ここで使用される用語「モバイル」は、コピーマシン、ファックスマシン、ホームエンターテインメントコンポーネント等のような、ポータブルであると考えられるコンピュータシステムを含む。モバイルコンピュータシステムの例は、限定されるものではないが、ノートブックコンピュータ（別名、ラップトップコンピュータ）、ポケットＰＣ（パーソナルコンピュータ）、モバイルフォン、パーソナルデジタルアシスタント、デジタルカメラ、デジタルビデオカメラ等を含む。モバイルコンピュータシステムは、Ａｐｐｌｅ（登録商標）、ｉＰｏｄ（登録商標）、Ｄｅｌｌ  ＤＪ（登録商標）等のようなメディアプレーヤを含む。
【０００８】
図１Ａ及び図１Ｂは、ノートブック１００の１実施の形態を示す。ノートブック１００は、ヒンジ１３４によりディスプレイ１０４に結合されるノートブックボディ１０２を含む。ヒンジ１３４は、水平自在継手又は他の多次元のコネクションを含む。１実施の形態では、ディスプレイ１０４は、ボートブックボディ１０４から検出可能である。以下に記載されるように、ノートブック１００は、バスコンフィギュレーションにおける光リンクを使用して接続される装置を含む。
【０００９】
ここで使用されるように、用語「装置」は、コンピュータシステムのプロセッサの外にあるハードウェアユニットを含む。１実施の形態では、装置は、中央処理ユニット及びコンピュータシステムのメモリと対話するハードウェアユニットである。装置は、周辺装置、入力／出力装置、及びａｄｄ−ｉｎ装置として知られる。装置は、更なるシステムメモリ及び第二のプロセッサを含む。更に別の実施の形態では、装置はディスプレイスクリーンの最も近くにある。
【００１０】
ディスプレイ１０４は、ディスプレイスクリーン１０７用のディスプレイサポート１０５、リーダ１３２、外部ポート１１０、カメラ１０８、ラジオ１０６、及び光リンク１２０により結合されるストレージ１１４を含む各種装置を含む。これらの装置は、以下に説明される。本発明の実施の形態は、本実施の形態で記載される光リンクを使用して互いに結合される他の装置を含むことが理解される。
【００１１】
光リンク１２０は、ノートブックボディ１０２にディスプレイ１０４におけるコンポーネントを接続するため、光リンク１１９に結合される。本実施の形態で記載される光リンクのコンフィギュレーションは、ディスプレイからボディへのリモート装置に対して使用されることが理解される。たとえば１実施の形態では、ディスプレイ１０４は、中央処理ユニット及びサポートチップセットを有するマザーボードを含む。この特定の実施の形態では、マザーボードとボディにおける装置との間の通信は、本実施の形態で記載された光リンクアーキテクチャを使用する。
【００１２】
本実施の形態で使用されるように、光リンクは、２以上の装置間で光信号を伝送する光伝送媒体を含む。幾つかの実施の形態では、光リンクは双方向性であり、別の実施の形態では、光リンクは１方向性である。本実施の形態での図面は、両方向の矢印をもつ光リンクを表しているが、かかる光リンクが必ずしも双方向性である必要がないことを理解されるであろう。
【００１３】
光リンクは、様々なデータレートでデータを送信する。１実施の形態では、データは少なくとも毎秒１ギガビット又はそれ以上で光リンクを送信される。別の実施の形態では、ディスプレイスクリーンのためにビデオ信号を有するデータは、毎秒約１０ギガビット又はそれ以上で光リンクを通して送信される。本発明の実施の形態は、これらデータレートに限定されるものではないことを理解されたい。
【００１４】
１実施の形態では、光リンクは、１以上の光導波路を含む。光導波路は、ガラス製の光ファイバ及びプラスティック製の光ファイバ、フリースペースの光インターコネクト等のような光ファイバを含む。光信号は、デジタル光信号、アナログ光信号、若しくはその組み合わせを含む。多数の光ファイバを有する光リンクの実施の形態では、多数の光ファイバは、ファイバーリボンケーブルで互いに束にされる場合がある。
【００１５】
ノートブックボディ１０２は、光モジュール（ＯＭ）１１８に結合されたビデオコントローラ１５０及びラジオコントローラ１５２を含む。ビデオコントローラ１５０は、ディスプレイスクリーン１０７をサポートし、ラジオコントローラ１５２はラジオ１０６をサポートする。
【００１６】
１実施の形態では、それぞれのディスプレイ１０４の装置は、光リンク１２０で光信号を送出及び／又は受信するための、それ自身の関連される光モジュールを有する。たとえば、ラジオ１０６は、光リンク１２０に結合される光モジュール１７０に結合される。ディスプレイサポート１０５は、光モジュール１７２に結合される。ＯＭ１７２は、光リンク１２０に結合される。外部のポート１１０は、光モジュール１７４に結合される。ＯＭ１７４は、光リンク１２０に結合される光リンク１２０に結合される。１実施の形態では、ＯＭ１７０，１７２及び１７４は、光ジャンクションを使用して光リンクにより光リンク１２０にそれぞれ結合される。たとえば、図１Ｂでは、光ジャンクションは、光リンク１２０を光リンク１７３に結合する。また、光リンク１７３は、ＯＭ１７０に結合される。
【００１７】
１実施の形態では、光リンク１２０は、光バスである。１実施の形態では、光リンク１２０は、光リンクジャンクション１２１により光リンク１１９に結合される。光ジャンクションの実施の形態は、パッシブスプリッタ及びアクティブスプリッタを含む。更に別の実施の形態では、ノートブック１００は、光リンク１２０に結合されるバスコントローラ（図示せず）を含む。かかるバスコントローラは、装置が光リンク１２０で通信するときをスケジュールする。たとえば、ラジオ１０６は、外部ポート１１０に結合されたプリンタよりも光リンク１２０を使用するために高い優先度が割り当てられる。代替的な実施の形態では、光リンク１２０及び光リンク１１９は、ＯＭ１１８から単一の光リンクを形成し、この場合、ディスプレイ１０４の装置は、この単一の光リンクをハングオフ（hang-off）する。
【００１８】
１実施の形態では、光信号は、光リンク１１９及び１２０で多重／分離される場合がある。かかる多重／分離の実施の形態は、波長分割多重（ＷＤＭ）、時間分割多重（ＴＤＭ）、及び符号分割多重（ＣＤＭ）を含む。かかる多重化では、それぞれのＯＭ１７０，１７２，１７４は、その関連される装置（又は複数の装置）にアドレス指定される光信号を「聞く」。たとえば、ＷＤＭでは、それぞれのＯＭは、その割り当てられた波長で光信号を処理し、他の波長で光信号を無視する。他の実施の形態では、ＷＤＭでは、ＯＭは特定の波長で光バスを通して光信号を送信する。
【００１９】
様々な通信技術は、本実施の形態で記載されるような光リンクコンフィギュレーションでデータを搬送するために使用される。１実施の形態では、データ通信は、シリアルベースである。データ通信の実施の形態は、パケットベース、ノンパケットベース、又はその組み合わせである場合がある。データ通信技術の実施の形態は、Peripheral  Component  Interface  (PCI)  Express  (PCI  Express  Base  Specification  Revision  1.0a,  April  15,  2003)、InfiniBand  (InfiniBand  Architecture  Specification,  version  1.2,  September  2004)、及びQuadrature  Amplitude  Modulation  (QAM)  を含む。
【００２０】
図１Ａ及び図１Ｂは、光モジュール（ＯＭ）１１８、１７０、１７２及び１７４を示す。一般に、光モジュールは、電気信号と光信号との間で変換するための１以上の電気−光装置を含む。光モジュールの実施の形態は、光信号のみを受信し、光信号のみを送信し、光信号を送信／受信するＯＭ（別名、トランシーバ）を含む。
【００２１】
１実施の形態では、光モジュールは、注入された型押しされたプラスティックから少なくとも１部構成される。別の実施の形態では、光モジュールは、集積されたシリコンドライバ及びライトエミッタ及び／又は光検出器及び受信増幅器を含む。更に別の実施の形態では、光ファイバは、光モジュールプラスティックハウジングに統合されるコネクタを使用して光モジュールに結合される。更に別の実施の形態では、光モジュールは、リードフレームパッケージを含む。
【００２２】
別の実施の形態では、光モジュールは、パラレルな光モジュールを含む。パラレルオプティクスは、多数の光ファイバを通して多数の光チャネルを使用することを含む。通常、それぞれの光ファイバは、単一の光チャネルを搬送する。パラレルの光モジュールは、ファイバーリボンケーブルで束にされる幾つかの光ファイバにより接続される。
【００２３】
本実施の形態で記載される光リンクコンフィギュレーションの実施の形態は、優れた性能及び構造上の柔軟性を提供する。光リンクは、電磁干渉、放射作用、及び伝導妨害波から免れる。光リンクはライトであり、したがってコンピュータシステムの重量を最小にする。光リンクは、熱エネルギーのようなエネルギーを著しく消散しない。光リンクを使用することで、電力消費における意味のある増加なしで、典型的に距離を通して信号を送出するのを可能にする。
【００２４】
モバイルコンピュータの実施の形態では、電気装置をディスプレイに移動することは、ノートブックボディへの電気装置の熱作用を低減する。また、装置をディスプレイに移動することで、ノートブックボディにおけるスペースの負担を軽くする。さらに、ヒンジにおける光リンクの使用は、耐久性を高める。これは、光ファイバのような光リンクが繰り返される曲げ及び折り曲げに対して弾力性があるためである。
【００２５】
本実施の形態で記載される実施の形態は、構造上かつ設計上の自由度を可能にする。コンピュータシステムの装置は、電気的接続に関連する同じ電力／距離の考慮なしに、コンピュータシステム内に配置される。光リンクによれば、光リンクにわたり通信するＯＭ間の距離は、電気的接続によるのと同じ電力増加なしに増加される。さらに、光リンクの伝送速度における増加は、電気的接続によるように電力における増加を必要としない。なお、ノートブックボディ１０２内の装置は、本実施の形態で記載されるように光リンクコンフィギュレーションを使用して相互に接続される。
【００２６】
本実施の形態で記載されるような光リンクコンフィギュレーションの実施の形態は、プラグアンドプレイ（Plug  and  Play）をサポートする。プラグアンドプレイにより、コンピュータシステムは、ユーザの介入なしにコンピュータシステムに追加された装置を自動的に認識及びセットアップすることができる。たとえば、図１Ａでは、カメラ１０８は、プラグアンドプレイを利用した取り外しできる装置である場合がある。１実施の形態では、装置は、ＰＣＩファミリのコネクタ、Accelerated  Graphics  Port  (AGP)、Small  Computer  System  Interface  (SCSI)  等のような従来のコネクタを使用してディスプレイ１０４にある場合がある。これらのコネクタは、本実施の形態で記載されたように光リンクコンフィギュレーションを使用したノートブックボディ１０２に結合される。更に別の実施の形態では、光リンクをサポートするコネクタは、電気的なコネクタを含む。
【００２７】
ディスプレイ１０４の装置に関する更なる詳細がここで記載される。ディスプレイサポート１０５は、ノートブックボディ１０２からのビデオ信号を受け、ディスプレイスクリーン１０７にビデオ信号をレンダリングする回路を含む。１実施の形態では、ディスプレイサポート１０５は、ノートブックボディ１０２に信号を要求する。ディスプレイスクリーン１０７の実施の形態は、液晶ディスプレイ（ＬＣＤ）スクリーン、薄膜トランジスタ（ＴＦＴ）スクリーン等を含む。
【００２８】
１実施の形態では、ディスプレイサポート１０５は、ディスプレイタイミングコントローラを含む。一般に、ディスプレイタイミングコントローラは、ビデオデータがディスプレイスクリーン１０７のどの列及び行に表示されているかを判定する。別の実施の形態では、ディスプレイサポート１０５は、ビデオスカラーを含む。一般に、ビデオスカラーは、ディスプレイスクリーン１０７又は開部に取り付けられたディスプレイの異なる表示解像度へのビデオデータのレンダリングを調節する。更に別の実施の形態では、ディスプレイサポート１０５は、ピクチャインピクチャ（ＰｉＰ）のようなビデオ作用をサポートする回路を含む。
【００２９】
リーダ１３２は、限定されるものではないが、CompactFlash、Sony  Memory  stick、MultiMedia、SmartMedia（登録商標）、Secure  Digital、xDカード等を含む。また、リーダ１３２は、バーコードリーダ等のような光リーダを含む。
【００３０】
外部ポート１１０は、光ポート及び電気ポートを含む。外部ポート１１０は、デジタルポート及びアナログポートを含む。ポート１１０の実施の形態は、Universal  Serial  Bus  (USB)、シリアルポート、パラレルポート、ファイヤワイヤポート等を含む。ノートブック１００は、異なるタイプの外部ポートの組み合わせを含むことを理解されたい。
【００３１】
１実施の形態では、カメラ１０８は、デジタル写真を撮影するデジタルカメラを含む。別の実施の形態では、カメラ１０８は、デジタルビデオを撮影するデジタルビデオカメラを含む。更に別の実施の形態では、カメラ１０８は、ネットワークにわたりビデオを送出するウェブカムを含む。
【００３２】
ストレージ１１４は、揮発性及び不揮発性ストレージを含む。ストレージ１１４の実施の形態は、ランダムアクセスメモリ（ＲＡＭ）、マグネティックディスク、光ディスク、フラッシュメモリ等のようなメモリを含む。１実施の形態では、光ディスクドライブ及び磁気ディスクドライブのような異なるストレージドライブがスワップされるように、ストレージ１１４は、取り外し可能なストレージベイを含む。
【００３３】
ディスプレイ１０４は、アンテナ１６０を使用して無線信号を送出及び／又は受信するラジオ１６０を含む。１実施の形態では、単一のラジオは、様々な無線信号のタイプを送出及び／又は受信する。別の実施の形態では、ディスプレイ１０４は、様々な無線信号のタイプを送出及び／又は受信するため、光リンク１２０に結合される２以上のラジオを含む。
【００３４】
無線信号のタイプは、WiMAX  (Institute  of  Electrical  Engineers  (IEEE)  802.16  standard  family)、Wifi  (Wireless  Fidelity)  (IEEE  802.11  standard  family)、Bluetooth  (IEEE802.15  family)、UWB  (Ultra  Wide  Band)、GSM  (Group  Speciale  Mobile)、GPRS  (General  Packet  Radio  Service)、3G  (Third  Generation  Mobile  System)、GPS  (Global  Positioning  System)、赤外線信号、ページング信号等を含む。
【００３５】
１実施の形態では、ラジオ１０６は、ブロードキャスト信号を受信する。ブロードキャスト信号は、振幅変調（ＡＭ）ラジオ、周波数変調（ＦＭ）ラジオ、ＮＴＳＣ（National  Television  Standars  Commitee）テレビジョン、ＰＡＬ（Phase  Alternate  Line）テレビジョン、ＳＥＣＡＭ（Systeme  Electronique  Couleur  Avec  Memoire）テレビジョン、サテライトラジオ、サテライトテレビジョン、ワイドエリアブロードキャストクロック同期信号、ディファレンシャルポジショニング信号等のような、アナログ及びデジタルブロードキャスト信号を含む。
【００３６】
１実施の形態では、ラジオ１０６は、コンプリートラジオを含む。別の実施の形態では、ラジオ１０６の一部は、ディスプレイ１０４にあり、及びラジオ１０６の残りの部分は、ノートブックのボディ１０６にある。更に別の実施の形態では、ラジオ１０６のアナログ部分は、ディスプレイ１０４にあり、ラジオ１０６のデジタル部分は、ノートブックボディ１０６にある。この特定の実施の形態の例では、ラジオ１０６の無線周波（ＲＦ）部分はディスプレイ１０４にあり、ＭＡＣ（Media  Access  Control）アドレス回路は、ノートブックボディ１０２にある。情報は、光リンクを使用してラジオ部分の間を通過する。ラジオ１０６の送信部分は、光リンクにより同様に分離される。
【００３７】
ラジオ１０６は、無線周波数、中間周波数、ベースバンドアナログ等としてデータを受ける。ラジオ１０６は、デジタルデータ信号を形成するため、受信されたアナログ信号をサンプリングする。
【００３８】
１実施の形態では、ラジオ１０６は、無線信号の送出及び／又は受信を調整するための調整ユニットを含む。この調整により、ラジオ１０６は、同時に１を超える無線信号タイプで作動するのが防止される。たとえば、ラジオ１０６がWifi信号を送信しているとき、ラジオ１０６は、他の信号タイプを聞くのを停止する。
【００３９】
ラジオ１０６をノートブックボディ１０６の代わりにディスプレイ１０４に配置することは、ラジオ１０６の動作を改善する。ディスプレイで、ラジオ１０６は、ノートブックボディ１０２に比較して、他の電気的な成分及びそれらの関連する電磁場から干渉を受けない。ディスプレイ１０４にラジオ１０６を配置することで、ラジオ１０６のレンジを改善する。
【００４０】
ラジオ１０６をディスプレイ１０４における光リンクに接続することで、ラジオ１０６は、所与のレンジで高いデータレートで無線信号を受信するか、又は、光リンクをもたないシステムよりも広いレンジで所与のビットレートで無線信号を受信することができる。光リンクは少なくとも毎秒１０ギガビットのデータレートをサポートし、無線信号は毎秒５０〜１００メガビットを典型的に送信するので、データは、オーバサンプル、ダウンサンプル、及びサブサンプルされたラジオからのデジタル化されたサンプルデータ、又はダイレクトデジタル合成のために使用されるデータを含む様々なラジオアーキテクチャのために容易に収容される。
【００４１】
図１Ｃに戻り、ノートブック１８０の実施の形態１８０が示される。ノートブック１８０は、光リンク１１９に結合される光リンク１８２を含み、光リンク１８２は、光リングコンフィギュレーションにある。１実施の形態では、光信号は、トークンリングのようなリング型の通信により光リンク１８２に沿って経路制御される。別の実施の形態では、光信号は、リングの周りの方向での通信である場合がある。この特定の実施の形態では、破損した光リンク１８２がある場合、光信号はなお装置に送出される場合がある。
【００４２】
図２Ａ及び図２Ｂを参照して、本発明の１実施の形態に係るノートブック２００が示されている。ノートブック２００は、ポイントツーポイントコンフィギュレーションで光リンクを使用してノートブックボディ１０２に接続される装置を含む。
【００４３】
ノートブックボディ１０２は、１以上のＯＭ２１８を含む。１実施の形態では、ＯＭ２１８の数は、ディスプレイ１０４に接続される光リンクの数に対応する。１実施の形態では、ＯＭ２１８のそれぞれのＯＭは、特定の光リンクの専用にされる。ＯＭ２１８は図２Ａにおける１つのブロックで示されるが、２以上のＯＭの実施の形態では、それぞれのＯＭはノートブックボディ１０２における異なる位置にあることが理解されるであろう。
【００４４】
ノートブック２００では、リーダ１３２は、光リンク２２１によりＯＭ２１８に結合される。外部ポート１１０は、光リンク２２２によりＯＭ２１８に結合される。カメラ１０８は、光リンク２２３によりＯＭ２１８に結合される。ラジオ１０６は、光リンク２２４によりＯＭ２１８に結合される。ディスプレイサポート１０５は、光リンク２２５によりＯＭ２１８に結合される。ストレージ１１４は、光リンク２２６によりＯＭ１１８に結合される。
【００４５】
図２Ｂに戻り、ラジオ１０６は光モジュール２０２に結合される。ＯＭ２０２は、光リンク２２４によりＯＭ２１８Ａに結合される。ＯＭ２１８Ａは、ラジオコントローラ１５２に結合される。
【００４６】
ディスプレイサポート１０５は、光モジュール２０３に結合される。ＯＭ２０３は、光リンク２２５によりＯＭ２１８Ｂに結合される。ＯＭ２１８Ｂは、ビデオコントローラ１５０に結合される。
【００４７】
外部ポート１１０は、光モジュール２０４に結合される。ＯＭ２０４は、光リンク２２２により光モジュール２１８Ｃに結合される。
【００４８】
図３Ａ及び図３Ｂを参照して、本発明の１実施の形態に係るノートブック３００が示される。ノートブック３００は、ハブコンフィギュレーションで光リンクにより接続される装置を含む。
【００４９】
ノートブックボディ１０２は、ハブ３０２を含む。ディスプレイ１０４は、ハブ３０４を含む。ハブ３０２は、１以上の光モジュール３１８を含む。ハブ３０２は、光リンク３２５によりハブ３０４に結合される。ハブ３０２は、ビデオコントローラ１５０及びラジオコントローラ１５２に結合される。ラジオコントローラ１５２及びビデオコントローラ１５０は、ハブ３０２に電気信号を供給し、この電気信号は、光信号に変換され、光リンク３２５で送出される。逆に、ハブ３０２で受信された光信号は、電気信号に変換され、適切なコントローラに送出される。代替的な実施の形態では、ビデオコントローラ１５０及びラジオコントローラ１５２は、光リンクを使用してハブ３０２に結合される。
【００５０】
ハブ３０４は、光リンク３０７を使用してリーダ１３２に結合される。ハブ３０４は、光リンク３０８を介して外部ポート１１０に結合される。ハブ３０４は、光リンク３０９によりカメラ１０８に結合される。ハブ３０４は、光リンク３１０を使用してラジオ１０６に結合される。ハブ３０４は、光リンク３１１を使用してディスプレイサポート１０５に結合される。ハブ３０４は、光リンク３１２によりストレージ１１４に結合される。図３Ｂでは、ハブ３０４は、光リンク３１０によりＯＭ３３０に接続され、ＯＭ３３０は、ラジオ１０６に接続される。光リンク３１１は、ＯＭ３３２にハブ３０４を接続し、このＯＭは、ディスプレイサポート１０５に接続される。光リンク３０８は、ＯＭ３３４にハブ３０４を接続し、このＯＭは、外部ポート１１０に接続される。
【００５１】
１実施の形態では、ハブ３０２及び３０４は、それらのそれぞれの装置間にデータトラフィックを向ける。たとえば、ハブ３０２は、ラジオコントローラ１５２及び１５０から電気信号を受ける。これら電気信号は、１以上のＯＭ３１８により光信号に変換される場合がある。１実施の形態では、これら光信号は、光リンク３２５に多重される。別の実施の形態では、光リンク３２５は、特定の装置の通信の専用にされる光ファイバを含む。
【００５２】
更に別の実施の形態では、光リンク３２５は、多重化及び専用チャネルの組み合わせを使用する。たとえば、ビデオコントローラ１５０及びディスプレイサポート間の通信は、専用の光ファイバを使用し、残りの装置の通信は、光ファイバに多重される。
【００５３】
ハブ３０４は、光リンク３２５から光信号を受け、光信号を適切なＯＭに向ける。１実施の形態では、ハブ３０４は、サーキュレータを含む。同様なやり方で、ＯＭ３３０、３３２及び３３４は、それらそれぞれの装置から電気信号を受け、電気信号を光信号に変換し、光リンクを使用してハブ３０４に電気信号を供給する。ハブ３０４は、光リンク３２５を使用してハブ３０２に電気信号を送出する。
【００５４】
図３Ｃは、ノートブック３００のためのハブコンフィギュレーションの代替的な実施の形態を示す。ハブ３０４は、１以上の光モジュール３１９を含む。ハブ３０４は、電気コネクション３０８，３１０及び３１１のそれぞれを使用して、外部ポート１１０、ラジオ１０６及びディスプレイサポート１０５に結合される。ハブ３０４のＯＭ３１９は、光リンク３２５へのこれら電気コネクションを結合する。更に別の実施の形態では、コネクション３０７〜３１１は、光リンクとハブ３０４との電気的なコネクションの組み合わせを含む。
【００５５】
本実施の形態で記載されたような光リンクコンフィギュレーションの実施の形態は、ワイドレンジのフレキシビリティをもつスケーラブルアーキテクチャを提供する。１以上のコンピュータシステムの装置は、バスコンフィギュレーション、ポイントツーポイントコンフィギュレーション、ハブコンフィギュレーションの組み合わせを使用して接続される。たとえば、ノートブック１００の代替的な実施の形態では、ストレージ１１４は、ポイントツーポイントコンフィギュレーションによりＯＭ１１８の専用のＯＭに結合されるメモリを含み、残りの装置は図１に示されるように結合される。この特定の実施の形態では、ノートブック１００の中央処理ユニットは、ディスプレイ１０４にあるメモリへのダイレクトアクセスを有する。本実施の形態で記載されるような光リンクを使用した装置の実施の形態は、カスケード接続される場合がある。装置間のカスケード接続は、光リンク、電気コネクション、又はその組み合わせを使用する。
【００５６】
図４に戻り、モバイルフォン４００の実施の形態が示される。モバイルフォン４００は、ヒンジ４３４によりフォンボディ４０２に結合されるディスプレイ４０４を含む。このアレンジメントは、「フリップフォン」と呼ばれる。代替的な実施の形態では、モバイルフォン４００は、ヒンジ４３４を含まないが、折り重ならない単一の部分である。モバイルフォン４００の他の実施の形態は、パーソナルデジタルアシスタント、メディアプレーヤ等を含む。
【００５７】
モバイルフォン４００は、リーダ４３２、外部ポート４１０、ディスプレイスクリーン４０７をサポートするディスプレイサポート４０５、ラジオ４０６、カメラ４０８及びストレージ４１４を含む。また、モバイルフォン４００は、ビデオコントローラ４５０及びラジオコントローラ４５２を含む。
【００５８】
モバイルフォン４００は、ベース外部ポート４１１を含む。ベース外部ポート４１１は、モバイルフォン４００をキーボード、バッテリチャージャ、別のコンピュータシステムと情報をやり取りする受け台等に結合するために使用される。
【００５９】
ディスプレイ４０４の装置は、光リンクによりフォンボディ４０２に結合される。光リンクは、バスコンフィギュレーション、ポイントツーポイントコンフィギュレーション、ハブコンフィギュレーション、又はこれらの組み合わせである。
【００６０】
図５Ａに戻り、システム５００の実施の形態が示される。システム５００は、光リンク５０６によりホームエンターテインメントシステム５０２に結合されるディスプレイ５０４を含む。代替的な実施の形態では、システム５０２は、光リンク５０６によりディスプレイ５０４に結合されるデスクトップコンピュータ、サーバ等を含む。
【００６１】
ディスプレイ５０４は、ディスプレイスクリーン５４４を含む。ディスプレイスクリーン５４４の実施の形態は、陰極線管、フラットパネルディスプレイ、高精細テレビジョン（ＨＤＴＶ）モニタ、液晶ディスプレイ（ＬＣＤ）スクリーン、プラズマスクリーン等を含む。
【００６２】
ディスプレイ５０４は、ディスプレイサポート５３６、リーダ５３４、ラジオ５３０及びストレージ５３８を含む。これらの装置は、本実施の形態で記載されたように光リンクコンフィギュレーションを使用して、ホームエンターテインメントシステム５０２に結合される。
【００６３】
１実施の形態では、ディスプレイ５４０は、セキュリティユニット５４０を含む。セキュリティユニット５４０は、ペアレンタルコントロールを含み、親は、子供によるアダルトコンテンツの視聴を妨げる場合がある。別の実施の形態では、セキュリティユニット５４０は、著作権の保護がされているマテリアルの許可されていない視聴及びコピーを妨げるコンテンツプロテクションを含む。
【００６４】
更に別の実施の形態では、セキュリティユニット５４０は、信頼されるプラットフォームモジュール（ＴＰＭ）を含む。ＴＰＭは、信頼されるコンピュータ環境で、信頼を確立し、信頼のメトリクスを確立するため、コンピュータシステムの隔離された装置である。ＴＰＭは、ＴＰＭハードウェアで実行される暗号化機能を含む。１実施の形態では、ＴＰＭは、誰かがＴＰＭを変更するか、又はシステムからＴＰＭを物理的に除くことを試みるのをディスエーブルにするセキュリティ手段を含む。ＴＰＭは、TPM  Main  Specification,  (Parts  1-3)  Version  1.2,  October  2,  2003に記載されている。セキュリティユニット５４０の代替的な実施の形態は、他のタイプの信頼されるハードウェア装置を含む。
【００６５】
別の実施の形態では、ディスプレイ５０４は、ビデオゲームコンポーネント５４２を含む。ビデオゲームコンポーネント５４２は、ホームエンターテインメントシステム５０２のストレージ装置からロードされる命令を実行する回路を含む。代替的な実施の形態では、ビデオゲームコンポーネント５４２は、オンボードでビデオゲームのインストラクションを記憶している。
【００６６】
ホームエンターテインメントシステム５０２は、光リンク５０６を使用してディスプレイ５０４にビデオ出力を供給する。１実施の形態では、ホームエンターテインメントシステム５０２は光ポート５０７を含み、ディスプレイ５０４は、１以上の光ファイバを有する光リンクケーブルを結合する光ポート５０９を含む。
【００６７】
ホームエンターテインメントシステム５０２は、本実施の形態で記載された光リンクコンフィギュレーションを使用して光信号を送出及び／又は受信するため、１以上の光モジュール５０８を含む。ホームエンターテインメントシステム５０２は、ＯＭ５０８に結合されたビデオコントローラ５１０を含む。ホームエンターテインメントシステム５０２は、ストレージ５１２、メモリ５１４、及びプロセッサ５１６を含む。
【００６８】
ホームエンターテインメントシステム５０２は、様々なビデオソース５１８からビデオ信号を受信する。ビデオソース５１８は、ワイヤドコネクション、ワイヤレスコネクション、又はその組み合わせを使用したホームエンターテインメントシステム５０２に結合される。これらビデオ信号は、光リンク５０６を使用してディスプレイ５０４に供給される。代替的な実施の形態では、１以上のビデオソース５１８は、ワイヤド又はワイヤレスコネクションを使用してディスプレイ５０４にダイレクトに結合する。別の代替的な実施の形態では、１以上のビデオソース５１８は、光リンクを使用してディスプレイ５０４にダイレクトに結合する。
【００６９】
ビデオソース５１８は、ＤＶＤ（Digital  Versatile  Disc）プレーヤ５２４、ビデオゲームコンソール５２６、及びケーブルテレビジョン及び／又はサテライトテレビジョンソース５２８のような光ディスクを含む。
【００７０】
また、ビデオソース５１８は、コンピュータシステム５２２を含む。１実施の形態では、コンピュータシステム５２２は、ホームサーバを含む。コンピュータシステム５２２は、インターネットのようなネットワーク５２０に結合される。したがって、ユーザは、ディスプレイ５０４を使用してインターネットを「サーフ」する場合がある。ホームエンターテインメントシステム５０２は、インターネットからのストリーイングビデオの形式でのビデオ信号、コンピュータシステム５２２により記憶又は再生されるビデオを受信する場合がある。別の実施の形態では、ホームエンターテインメントシステム５０２は、コンピュータシステム５２２を使用することなしに、ネットワーク５２０に結合される。
【００７１】
本実施の形態で記載される光リンクコンフィギュレーションは、ディスプレイを有する他のマシンで実現される場合があることを理解されたい。たとえば、冷蔵庫がディスプレイ、及び光リンクコンフィギュレーションを使用して接続される他の装置を含む場合がある。他の係るマシンは、コピーマシン、ファックスマシン、ＤＶＤプレーヤ等を含む。
【００７２】
図５Ｂに戻り、システム５０２の実施の形態が示されている。ビデオコントローラ５１０は、ＯＭ５１０Ａに結合されており、ストレージ５１２はＯＭ５１２Ａに結合され、メモリ５１４は、ＯＭ５１４Ａに結合され、プロセッサ５１６はＯＭ５１６Ａに結合される。ＯＭ５１０Ａは、光リンク５０６を使用してディスプレイ５０４に結合される。図５Ｂの実施の形態では、システム５０２は、ＯＭ５５０Ａ及び５５０Ｂに結合される入力／出力コントローラ５５０を含む。ＯＭ５５０Ａは、光リンク５５６を介してＩ／Ｏ装置又はビデオソース５１８に結合される。ＯＭ５５０Ｂは、光リンク５５４を使用してネットワーク５２０に結合される。
【００７３】
ビデオコントローラ５１０、ストレージ５１２、メモリ５１４、プロセッサ５１６、Ｉ／Ｏコントローラ５５０は、本実施の形態で記載されたように光リンクコンフィギュレーションを使用して相互接続されることを理解されたい。たとえば、図５Ｂでは、ストレージ５１２は、ポイントツーポイント光リンク５６０を使用してメモリ５１４に結合される。さらに、当業者であれば、システム５０２のために本実施の形態で記載されたような光リンクコンフィギュレーションは、デスクトップコンピュータシステム、サーバ等に適用されることを理解されたい。
【００７４】
たとえば、本実施の形態で記載されるような光コンフィギュレーションは、サーバラックにおける複数のサーバに適用される。１実施の形態では、サーバは、光リンクを含むバックプレーンにより接続される。１実施の形態では、かかるサーバは、１以上のスイッチカードにより相互接続されるブレードサーバを含み、スイッチカードは、バックプレーンを使用してブレードサーバ間のトラフィックを経路制御する。サーバの内部にある装置は、本実施の形態で記載されるように１以上の光リンクコンフィギュレーションを使用して接続される。
【００７５】
図６Ａは、本実施の形態で記載されるような光リンクコンフィギュレーションを有する自動車６００の実施の形態を示す。自動車６００は、バックシートディスプレイ６０４に結合されるストレージ６０２、フロントシートディスプレイ６０６、及び、本実施の形態で記載される光リンクコンフィギュレーションを使用したコンピュータシステム６０８を含む。
【００７６】
ストレージ６０２は、ディスプレイ６０４及び６０６にビデオコンテンツを供給するために使用される。１実施の形態では、ストレージ６０２は、トランク内又は自動車６００のシートの下にある光ディスクチャージャを含む。かかるディスクは、映画及び他のエンターテインメントをバックシートディスプレイ６０２に供給し、ナビゲーション及び他のトラベルに関連した情報をフロントシートディスプレイ６０６に供給する。コンピュータシステム６０８により、ストレージ６０２とのディスプレイ６０４及び６０６の調整が行われる。１実施の形態では、ストレージ６０２とディスプレイ６０４及び６０６の間の１以上の光リンクを使用して、ディスプレイ６０４及び６０６にビデオコンテンツが供給される。別の実施の形態では、ストレージ６０２からのビデオコンテンツは、ディスプレイ６０４及び６０６に向けられる前に、コンピュータシステム６０８を通過する。更に別の実施の形態では、ディスプレイ６０４及び６０６は、本実施の形態で記載されるように光リンクを利用する装置を含む。たとえば、ディスプレイは、ビデオゲームシステムを接続するためのポートを含む。
【００７７】
図６Ｂは、本実施の形態で記載される光リンクコンフィギュレーションを有する航空機６５０の実施の形態を示す。航空機６５０は、旅客ディスプレイ６５２、ストレージ６５６、及び、本実施の形態で記載される光リンクコンフィギュレーションを使用して互いに結合されるコンピュータシステム６５４を含む。ストレージ６５６は、旅客ディスプレイ６５２で再生されるべき旅客者のためのエンターテインメントを記憶する。ストレージ６５６は、光ディスク及び磁気ディスクを含む。１実施の形態では、コンピュータシステム６５４は、どの旅客ディスプレイがストレージ６５６から受信されたビデオコンテンツを表示するかを調整する。ディスプレイ基準は、たとえばファーストクラスといった座席、又は映画を見るために料金を支払った個々の旅客者に基づいている。更に別の実施の形態では、旅客ディスプレイは、本実施の形態で記載された光リンクコンフィギュレーションを有する装置を含む。たとえば、ディスプレイは、旅客がそれ自身所有のモバイルコンピュータシステムをディスプレイに結合するようにポートを含む。別の例では、ディスプレイは、旅客が航空機から地上のステーションへインターネットを使用してビデオ会議を行うようにカメラを含む。
【００７８】
図７は、本発明の実施の形態が実現される例示的コンピュータシステム７００の１実施の形態を示す。コンピュータシステム７００は、トップセット７０６に結合されるプロセッサ７０２及びメモリ７０４を含む。ストレージ７１２、不揮発性ストレージ（ＮＶＳ）７０５、ネットワークインタフェース７１４、及び入力／出力（Ｉ／Ｏ）インタフェース（Ｉ／Ｆ）７１８は、チップセット７０６に結合される。コンピュータシステム７００の実施の形態は、限定されるものではないが、デスクトップコンピュータ、ノートブックコンピュータ、パーソナルデジタルアシスタント、モバイルフォン、メディアプレーヤ等を含む。１実施の形態では、コンピュータシステムは、メモリ７０４に結合されたプロセッサ７０２を少なくとも含み、このプロセッサ７０２は、メモリ７０４に記憶されている命令を実行する。
【００７９】
また、コンピュータシステム７００は、１以上の光モジュール７２０を含む。１以上の光モジュール７２０は、本実施の形態で記載される光リンクコンフィギュレーションを使用して光信号を送出及び／又は受信するために使用される。他の実施の形態では、本実施の形態で記載される１以上の光リンクコンフィギュレーションを使用して、コンピュータシステム７００の様々な装置が相互接続される。
【００８０】
プロセッサ７０２は、限定されるものではないが、Intel  Corporation  x86,  Pentium（登録商標）,  Xeron,  Itaniumファミリプロセッサ、グラフィックス処理ユニット（ＧＰＵ）等を含む。１実施の形態では、コンピュータシステム７００は、マルチプルプロセッサを含む。メモリ７０４は、限定されるものではないが、ダイナミックランダムアクセスメモリ（ＤＲＡＭ）、スタティックランダムアクセスメモリ（ＳＲＡＭ）、同期されたダイナミックランダムアクセスメモリ（ＳＤＲＡＭ）、ラムバスダイナミックランダムアクセスメモリ（ＲＤＲＡＭ）等を含む。
【００８１】
チップセット７０６は、メモリコントローラハブ（ＭＣＨ）、入力／出力コントローラハブ（ＩＣＨ）等を含む。また、チップセット７０６は、システムクロックサポート、パワーマネージメントサポート、オーディオサポート、グラフィックスサポート等を含む。１実施の形態では、チップセット７０６は、プロセッサ７０２及びメモリ７０４のためのソケットを含むボードに結合される。
【００８２】
コンピュータシステム７００のコンポーネントは、ＰＣＩ（Peripheral  Component  Interconnect）バス、ＳＭＢＵＳ（System  Management  BUS）、ＬＰＣ（Low  Pin  Count）バス、ＳＰＩ（Serial  Peripheral  Interface）バス、ＡＧＰ（Accelerated  Graphics  Port）インタフェース等を含む各種バスにより接続される。Ｉ／Ｏ  Ｉ／Ｆ７１８は、キーボード、マウス、ディスプレイ、プリンタ、スキャナ等にコンピュータシステム７００を結合するために使用される。
【００８３】
コンピュータシステム７００は、ネットワークインタフェース７１４を通して外部システムにインタフェースする。ネットワークインタフェース７１４は、限定されるものではないが、モデム、ネットワークインタフェースカード（ＮＩＣ）、又は、コンピュータシステムを他のコンピュータシステムに結合するために他のインタフェースを含む。搬送波信号７２３は、ネットワークインタフェース７１４により受信／送信される。図７に例示される実施の形態では、搬送波信号７２３は、ローカルエリアネットワーク（ＬＡＮ）、ワイドエリアネットワーク（ＷＡＮ）、インターネット、又はその組み合わせのようなネットワーク７２４と、コンピュータシステム７００をインタフェースするために使用される。１実施の形態では、コンピュータシステム７００及びリモートコンピュータ７２５がネットワーク７２４を通して通信するように、ネットワーク７２４は、リモートコンピュータ７２５に更に結合される。
【００８４】
また、コンピュータシステム７００は、ファームウェア及び／又はデータが記憶される不揮発性ストレージ７０５を含む、不揮発性ストレージ装置は、限定されるものではないが、リードオンリメモリ（ＲＯＭ）、フラッシュメモリ、書き込み・消去可能なリードオンリメモリ（ＥＰＲＯＭ）、電気的に書き込み・消去可能なリードオンリメモリ（ＥＥＰＲＯＭ）、不揮発性ランダムアクセスメモリ（ＮＶＲＡＭ）等を含む。ストレージ７１２は、限定されるものではないが、磁気ハードディスク、磁気テープ、光ディスク等を含む。なお、プロセッサ７０２により実行可能な命令は、ストレージ７１２、メモリ７０４、不揮発性ストレージ７０５にあるか、ネットワークインタフェース７１４を介して送信又は受信されることが理解される。
【００８５】
１実施の形態では、コンピュータシステム７００は、オペレーティングシステム（ＯＳ）ソフトウェアを実行する。たとえば、本発明の１実施の形態は、コンピュータシステム７００のオペレーティングシステムとしてMicrosoft  Windows（登録商標）を利用する。コンピュータシステム７００と使用される他のオペレーティングシステムは、限定されるものではないが、パームオペレーティングシステム、アップルマッキントッシュオペレーティングシステム、リナックスオペレーティングシステム、ユニックスオペレーティングシステム等を含む。
【００８６】
説明のため、マシンアクセス可能な媒体は、（たとえばコンピュータ、ネットワーク装置、パーソナルデジタルアシスタント、マニュファクチャリングツール、１以上のプロセッサのセットをもつ装置といった）マシンにより読み取り可能又はアクセス可能な形式で情報を提供（すなわち記憶及び／又は送信）するメカニズムを含む。たとえば、マシンアクセス可能な媒体は、限定されるものではないが、（たとえば、リードオンリメモリ（ＲＯＭ）、ランダムアクセスメモリ（ＲＡＭ）、磁気ディスクストレージメディア、光ストレージメディア、フラッシュメモリ装置等といった）記録可能なメディア／記録不可能なメディアを含む。さらに、マシンアクセス可能な媒体は、電気的、光学的、音響的又は他の形式で伝播される信号のような伝播される信号（たとえば搬送波、赤外線信号、デジタル信号等）を含む。
【００８７】
本発明の例示される実施の形態の先の記載は、要約に記載される内容を含めて、完全であることが意図されず、開示される正確な形式に本実施の形態を制限することが意図されない。本発明の特定の実施の形態、及び本発明の例は例示する目的で本明細書に記載されたが、当業者が認識するように様々な等価な実施の形態が可能である。これらの変更は、先の詳細な説明に照らして本発明の実施の形態に対して行うことができる。
【００８８】
以下の請求項で使用される用語は、明細書で開示される特定の実施の形態に本発明を制限するために解釈されるべきではない。むしろ、以下の特許請求の範囲は、請求項の解釈の確立されたドクトリンに従って解釈されるべきである。
【図面の簡単な説明】
【００８９】
【図１Ａ】本発明の教示に従う光リンクを使用したデータ交換アーキテクチャの１実施の形態を示すブロック図である。
【図１Ｂ】本発明の教示に従う光リンクを使用したデータ交換アーキテクチャの１実施の形態を示すブロック図である。
【図１Ｃ】本発明の教示に従う光リンクを使用したデータ交換アーキテクチャの１実施の形態を示すブロック図である。
【図２Ａ】本発明の教示に従う光リンクを使用したデータ交換アーキテクチャの１実施の形態を示すブロック図である。
【図２Ｂ】本発明の教示に従う光リンクを使用したデータ交換アーキテクチャの１実施の形態を示すブロック図である。
【図３Ａ】本発明の教示に従う光リンクを使用したデータ交換アーキテクチャの１実施の形態を示すブロック図である。
【図３Ｂ】本発明の教示に従う光リンクを使用したデータ交換アーキテクチャの１実施の形態を示すブロック図である。
【図３Ｃ】本発明の教示に従う光リンクを使用したデータ交換アーキテクチャの１実施の形態を示すブロック図である。
【図４】本発明の教示に従う光リンクを使用したデータ交換アーキテクチャの１実施の形態を示すブロック図である。
【図５Ａ】本発明の教示に従う光リンクを使用したデータ交換アーキテクチャの１実施の形態を示すブロック図である。
【図５Ｂ】本発明の教示に従う光リンクを使用したデータ交換アーキテクチャの１実施の形態を示すブロック図である。
【図６Ａ】本発明の教示に係る光リンクを使用したデータ交換アーキテクチャの１実施の形態を示すブロック図である。
【図６Ｂ】本発明の教示に係る光リンクを使用したデータ交換アーキテクチャの１実施の形態を示すブロック図である。
【図７】本発明の教示に係るコンピュータシステムの１実施の形態を示すブロック図である。
【図１Ａ】
2008525899.tif 000003
【図１Ｂ】
2008525899.tif 000004
【図１Ｃ】
2008525899.tif 000005
【図２Ａ】
2008525899.tif 000006
【図２Ｂ】
2008525899.tif 000007
【図３Ａ】
2008525899.tif 000008
【図３Ｂ】
2008525899.tif 000009
【図３Ｃ】
2008525899.tif 000010
【図４】
2008525899.tif 000011
【図５Ａ】
2008525899.tif 000012
【図５Ｂ】
2008525899.tif 000013
【図６Ａ】
2008525899.tif 000014
【図６Ｂ】
2008525899.tif 000015
【図７】
2008525899.tif 000016
【国際調査報告】
2008525899.tif 000017
2008525899.tif 000018
2008525899.tif 000019